(57)【特許請求の範囲】
【請求項１】
軟弱地盤中にドレーン材を繰り出すためのマンドレルを備えた水平ドレーン埋設船を、牽引用ワイヤロープを使用した埋設船移動手段によって前記軟弱地盤上を移動させる水平ドレーン埋設船の操船方法において、
前記水平ドレーン埋設船の両舷側にそれぞれ前記軟弱地盤内に挿入可能な移動抵抗部材を備え、前記埋設船移動手段による水平ドレーン埋設船移動時に、前記移動抵抗部材を軟弱地盤に挿入した状態で前記水平ドレーン埋設船と共に移動させ、該移動抵抗部材が軟弱地盤中を移動する際の該軟弱地盤に対する移動抵抗を、前記両舷側の移動抵抗部材間において違えることによって前記水平ドレーン埋設船の移動方向を調整することを特徴としてなる水平ドレーン埋設船の操船方法。
【請求項２】
前記移動抵抗部材を、前記水平ドレーン埋設船下に垂下される棒状材をもって構成させてなる請求項１に記載の水平ドレーン埋設船の操船方法。
【請求項３】
前記水平ドレーン埋設船の両舷側にある棒状材の内の一方の先端を前記軟弱地盤内の所望の深さまで貫入させた状態で前記埋設船移動手段により水平ドレーン埋設船を移動させることにより水平ドレーン埋設船の移動方向を調整する請求項２に記載の水平ドレーン埋設船の操船方法。
【請求項４】
前記棒状材の一端側を水平ドレーン埋設船に対して回動自在に支持させ、該棒状材の傾斜角度を調整することによってその先端側の軟弱地盤内貫入深さを調節する請求項２又は３に記載の水平ドレーン埋設船の操船方法。
【請求項５】
前記両移動抵抗部材は、前記水平ドレーン埋設船下に垂下させた縦向きのブレードであり、該ブレードを水平方向に回動させてその角度を調整することによって軟弱地盤に対する移動抵抗を調整する請求項１に記載の水平ドレーン埋設船の操船方法。
【発明の詳細な説明】
【技術分野】
【０００１】
本発明は、主に浚渫土からなる軟弱土を貯留させた軟弱土処理場や埋立地の軟弱地盤中に水平ドレーン埋設船を使用して、水平方向に向けてドレーン材を埋設する際に、その水平ドレーン埋設船の操船性を向上させて、ドレーン材埋設位置精度を向上させる水平ドレーン埋設船の操船方法に関する。
【背景技術】
【０００２】
従来、浚渫土からなる軟弱土を貯留させた軟弱土処理場や埋立地の地盤改良においては、軟弱地盤中にドレーン材を水平に埋設し、このドレーン材を通して軟弱地盤中の水を排出する方法が知られている（例えば特許文献１）。
【０００３】
このドレーン材の水平埋設には、従来、図９に示す如き専用の水平ドレーン埋設船１０２が使用されている。この水平ドレーン埋設船１０２には、ドレーン材１００がリール１０１，１０１...に巻き取られた状態で搭載されるとともに、ドレーン材１００を埋設するマンドレル１０４が船体下に向けて垂下されており、これを軟弱地盤１０３上の水面に浮かべ、マンドレル１０４を軟弱地盤１０３内に挿入し、該マンドレル１０４からドレーン材１００を繰り出しつつ水平ドレーン埋設船１０２移動させることにより、軟弱地盤１０３中に水平方向に向けてドレーン材１００を埋設するようにしている。
【０００４】
また、ドレーン埋設作業に使用する水平ドレーン埋設船１０２の操船は、図１０に示すように水平ドレーン埋設船１０２の前後に牽引用ワイヤロープ１０５ａ、１０５ｂを連結し、この両牽引用ワイヤロープを軟弱土収容部の互いに対向する岸１０６ａ，１０６ｂに設置されたウインチ１０７ａ，１０７ｂをもって巻き取り繰り出し操作することによって埋設方向側に移動させるようにしている。
【０００５】
更に、水平ドレーン埋設作業時に水平ドレーン埋設船１０２が蛇行したり斜行したりすると、埋設されたドレーンの間隔にばらつきが発生し、軟弱地盤の減容化の均一性が保てなくなる。
【０００６】
このため、埋設作業時における水平ドレーン埋設船の直進性を維持するために、前進側の牽引用ワイヤロープ１０５ａを複数本にするとともに、水平ドレーン埋設船１０２の両側部にサポート用ワイヤロープ１０８ａ，１０８ｂを連結し、これを両岸１０６ａ，１０６ｂに設置した別のウインチ１０９ａ，１０９ｂをもって巻き取り、繰り出し操作することにより、直進性を維持させようとしている。
【先行技術文献】
【特許文献】
【０００７】
【特許文献１】特開昭６４−１０８１３号公報
【発明の概要】
【発明が解決しようとする課題】
【０００８】
しかしながら、上述の如き従来の水平ドレーン埋設船の操船方法では、多数本の牽引用ワイヤロープ及びサポート用ワイヤロープが必要となり、そのそれぞれを巻き取り繰り出し操作するウインチが必要であり設備費がかかるとともに、それらのウインチの同時操作に高度の技術を必要とするという問題があった。
【０００９】
また、１回のドレーン埋設作業後、次の埋設作業に備えて多数のウインチを移動させ、それらを必要な反力に耐える状態に固定する作業が必要となり、多くの労力と時間を要するという問題があった。
【００１０】
本発明は、このような従来の問題に鑑み、簡易な設備で効率よく作業ができ、しかも操船性を向上させることができる水平ドレーン埋設船の操船方法の提供を目的としてなされたものである。
【課題を解決するための手段】
【００１１】
上述の如き従来の問題を解決し、所期の目的を達成するための請求項1に記載の発明の特徴は、軟弱地盤中にドレーン材を繰り出すためのマンドレルを備えた水平ドレーン埋設船を、牽引用ワイヤロープを使用した埋設船移動手段によって前記軟弱地盤上を移動させる水平ドレーン埋設船の操船方法において、前記水平ドレーン埋設船の両舷側にそれぞれ前記軟弱地盤内に挿入可能な移動抵抗部材を備え、前記埋設船移動手段による水平ドレーン埋設船移動時に、前記移動抵抗部材を軟弱地盤に挿入した状態で前記水平ドレーン埋設船と共に移動させ、該移動抵抗部材が軟弱地盤中を移動する際の該軟弱地盤に対する移動抵抗を、前記両舷側の移動抵抗部材間において違えることによって前記水平ドレーン埋設船の移動方向を調整することにある。
【００１２】
請求項２に記載の発明の特徴は、請求項１の構成に加え、前記移動抵抗部材を、前記水平ドレーン埋設船下に垂下される棒状材をもって構成することにある。
【００１３】
請求項３に記載の発明の特徴は、請求項２の構成に加え、前記水平ドレーン埋設船の両舷側にある棒状材の内の一方の先端を前記軟弱地盤内の所望の深さまで貫入させた状態で前記埋設船移動手段により水平ドレーン埋設船を移動させることにより水平ドレーン埋設船の移動方向を調整することにある。
【００１４】
請求項４に記載の発明の特徴は、請求項２又は３の構成に加え、前記棒状材の一端側を水平ドレーン埋設船に対して回動自在に支持させ、該棒状材の傾斜角度を調整することによってその先端側の軟弱地盤内貫入深さを調節することにある。
【００１５】
請求項５に記載の発明の特徴は、請求項１の構成に加え、前記両移動抵抗部材は、前記水平ドレーン埋設船下に垂下させた縦向きのブレードであり、該ブレードを水平方向に回動させてその角度を調整することによって軟弱地盤に対する移動抵抗を調整することにある。
【発明の効果】
【００１６】
本発明に係る水平ドレーン埋設船の操船方法においては、軟弱地盤中にドレーン材を繰り出すためのマンドレルを備えた水平ドレーン埋設船を、牽引用ワイヤロープを使用した埋設船移動手段によって前記軟弱地盤上を移動させるに際し、水平ドレーン埋設船の両舷側にそれぞれ前記軟弱地盤内に挿入可能な移動抵抗部材を備え、前記埋設船移動手段による水平ドレーン埋設船移動時に、前記移動抵抗部材を軟弱地盤に挿入した状態で前記水平ドレーン埋設船と共に移動させ、該移動抵抗部材が軟弱地盤中を移動する際の該軟弱地盤に対する移動抵抗を、前記両舷側の移動抵抗部材間において違えることによって前記水平ドレーン埋設船の移動方向を調整するようにしたことにより、従来のように多数の牽引用や移動方向規制するサポート用のワイヤロープ、及びこれを操作するための多数のウインチが不要となり、簡易な装置で操船精度を高めることができる。
【００１７】
本発明においては、前記移動抵抗部材を、前記水平ドレーン埋設船下に垂下される棒状材をもって構成することにより、水平ドレーン埋設船に対する設置が容易である。
【００１８】
本発明においては、前記水平ドレーン埋設船の両舷側にある棒状材の内の一方の先端を前記軟弱地盤内の所望の深さまで貫入させた状態で前記埋設船移動手段により水平ドレーン埋設船を移動させて水平ドレーン埋設船の移動方向を調整するようにしたことにより、操船性が向上する。
【００１９】
本発明においては、前記棒状材の一端側を水平ドレーン埋設船に対して回動自在に支持させ、該棒状材の傾斜角度を調整することによってその先端側の軟弱地盤内貫入深さを調節することにより、不使用時には水平ドレーン埋設船の船腹に沿わせて収納でき、嵩高とならず、船上作業の邪魔にならない。
【００２０】
本発明においては、前記両移動抵抗部材は、前記水平ドレーン埋設船下に垂下させた縦向きのブレードであり、該ブレードを水平方向に回動させてその角度を調整することによって軟弱地盤に対する移動抵抗を調整することにより、操船性が向上する。
【図面の簡単な説明】
【００２１】
【図１】本発明に係る水平ドレーン埋設船の操船方法の一例の概略を示す平面図である。
【図２】本発明に係る操船方法を実施する水平ドレーン埋設船の一例を示すもので、（ａ）は側面図、（ｂ）は平面図である。
【図３】（ａ）〜（ｄ）本発明に係る操船方法における水平ドレーン埋設船の向き調整工程を示す説明図である。
【図４】図３に示す操船方法における棒状材の貫入状態を示す部分断面図である。
【図５】図１に示す実施例における移動抵抗部材を回転式の棒状材とした場合における動作状態の概略を示すもので、（ａ）は貫入状態、（ｂ）は引き上げ状態を示す側面図である。
【図６】図２、図５に示す棒状材の先端形状の一例を示すもので、（ａ）は正面図、（ｂ）は側面図である。
【図７】同じく他の例の正面図である。
【図８】本発明に係る操船方法に使用する水平ドレーン埋設船の他の例を示すもので、（ａ）は平面図、（ｂ）は正面図である。
【図９】従来の水平ドレーン埋設船によるドレーン埋設作業状態を示す側面図である。
【図１０】同上の水平ドレーン埋設船の操船方法の一例を示す平面図である。
【発明を実施するための形態】
【００２２】
次に、本発明に係る水平ドレーン埋設船の操船方法の実施の態様を図１〜図８に示した実施例に基づいて説明する。
【００２３】
図中符号Ａは、本水平ドレーン埋設船の操船方法によりドレーン材を水平に埋設する軟弱土処理場である。
【００２４】
この軟弱土処理場Ａ内の、浚渫土等が貯留された軟弱地盤１中に水平ドレーン埋設船３により水平にドレーン材２を埋設し、このドレーン材２を通して水を排出することにより軟弱地盤１の地盤改良を行う。
【００２５】
地盤改良に際しては、図１、図２に示すように軟弱地盤１上に水平ドレーン埋設船３を浮かべ、これを移動させつつ軟弱地盤１内に、ドレーン材２を上下左右に複数並べた状態で同時に埋設する。
【００２６】
水平ドレーン埋設船３には、図２に示すように複数本のドレーン材２がそれぞれドレーンリール１５に巻かれた状態で搭載されるようになっている。ドレーンリール１５は、水平ドレーン埋設船３に備えた台座１６上にブラケット１７を介して回転自在に支持され、該ドレーンリール１５，１５...が水平ドレーン埋設船３の進行方向に間隔を置いて複数搭載されてリール列を構成し、このリール列が水平ドレーン埋設船幅方向に間隔を置いて複数配列されている。
【００２７】
水平ドレーン埋設船３には、軟弱地盤１中にドレーン材２を繰り出すためのマンドレル４を備えており、マンドレル４を軟弱地盤１中に挿入した状態で水平ドレーン埋設船３を、図１に示すように一方の岸５ｂから他方（水平ドレーン埋設船前方側）の岸５ａに向けて移動させつつマンドレル４からドレーン材２を繰り出すことにより軟弱地盤１中にドレーン材２が水平に埋設されるようになっている。
【００２８】
尚、各ドレーンリール１５から繰り出されたドレーン材２は、ガイドローラ１８を経てマンドレル４に沿わされ、取り付け高さ位置の異なった繰り出し部ガイドローラ２０を経て地盤中に繰り出されるようになっている。また、マンドレル４は、油圧シリンダ等の回動駆動手段１９により回動させることにより進行方向側の傾斜角度が調節されるようになっている。
【００２９】
水平ドレーン埋設船３の移動は、牽引用ワイヤロープを使用した埋設船移動手段を使用する。この埋設船移動手段は、一例として牽引用ワイヤロープ７ａ，７ｂとウインチ８ａ，８ｂとを使用し、これによって一方の岸５ａと他方の岸５ｂの間を往復移動させるようにしている。
【００３０】
牽引用ワイヤロープ７ａ，７ｂは、一方が水平ドレーン埋設船３の前部に、他方が同後部に連結され、それぞれが両岸５ａ，５ｂに設置したウインチ８ａ，８ｂによって一方から巻き取ると同時に他方から一定の繰り出し抵抗力をかけて繰り出すことによって水平ドレーン埋設船３を直線移動させるようにしている。尚、ウインチを水平ドレーン埋設船３に搭載しておき、牽引用ワイヤロープの端部を両岸に固定してもよい。
【００３１】
水平ドレーン埋設船３には、その両舷側にそれぞれ前記軟弱地盤内に挿入可能な移動抵抗部材を備えており、軟弱地盤に対する移動抵抗を、前記両舷側の移動抵抗部材間において違えることによって前記水平ドレーン埋設船の移動方向が調整されるようになっている。
【００３２】
この移動抵抗部材としては一例として水平ドレーン埋設船３下に垂下される棒状材２５，２５を使用する。
【００３３】
この棒状材２５，２５は、水平ドレーン埋設船３の両舷部分において、左右対称な位置に縦向きのガイド２６にガイドされて上下に移動可能に設置され、そのガイド２６内に備えた昇降装置によって略垂直に昇降されるようになっている。昇降装置は図には詳示してないが、回転しないねじ軸とこれに螺合させた上下動しない回転駆動輪との組み合わせや、ラックとピニオンによる機構などが使用できる。
【００３４】
ドレーン材水平埋設に際する水平ドレーン埋設船３の操船は、前述したウインチ８ａ，８ｂを操作し、両牽引用ワイヤロープ７ａ，７ｂの一方を巻き取り、他方を繰り出すことを主操作とする。
【００３５】
また、軟弱地盤１の状態が、全域において均質でないことがあり、各マンドレルに対する軟弱地盤の抵抗の違いによって、図３（ａ）に示すように水平ドレーン埋設船３が敷設予定線ａの向きから外れることがあるが、そのような場合に、軟弱地盤に対する移動抵抗を、前記両舷側の移動抵抗部材２５，２５間において違えることによって前記水平ドレーン埋設船の移動方向を調整する。
【００３６】
その操船方法の一例を説明すると、ドレーン材水平埋設作業中に、その水平ドレーン埋設船３の片舷側の棒状材２５を図４に示すように水底の軟弱地盤１内に貫入させる。この状態で水平ドレーン埋設船３は牽引用ワイヤロープ７ａにより引張されることによって、図３（ｂ）に示すように、貫入された棒状材２５を中心として敷設予定線ａ側に向く回転モーメントが与えられ、旋回動作される。
【００３７】
そして、図３（ｃ）に示すように所望の敷設予定線の向きに戻った状態で、貫入されている棒状材２５を引き抜き、図３（ｄ）に示すように牽引用ワイヤロープ７ａによる引張を続行させる。
【００３８】
更に、この他、水平ドレーン埋設船３から軟弱地盤１内に対する左右の棒状材２５，２５の垂下度合いを調節して左右の推進抵抗を違えることによって予定敷設直線に沿って水平ドレーン埋設船３が移動されるようにコントロールしてもよい。
【００３９】
上述の実施例では、棒状材２５を垂直方向に移動させることにより、棒状材２５の先端を軟弱地盤１内へ貫入させているが、この他、図５に示すように、棒状材２５の一端を水平ドレーン埋設船３の両舷位置に前後方向に回動自在に枢支させておき、モータ又は油圧シリンダ等の回動装置２７によって棒状材２５を回動させることにより、棒状材２５の先端を軟弱地盤１内へ貫入させるようにしてもよい。この場合においては棒状材２５を回動させてその傾斜角度を調整することによって、先端の貫入深さを調節する。
【００４０】
棒状材２５の先端形状は、図４に示すように該棒状材２５と同形の棒状であってもよく、図６に示すように、棒状材２５の先端に平板状のパドル２８を一体に備えたものであってもよく、更に図７に示すように、球体２９を一体に備えたものであってもよい。
【００４１】
また、上述の実施例では移動抵抗部材として棒状材を軟弱地盤１内に垂下させる構造を使用した場合を示しているが、この他、図８に示すように、水平ドレーン埋設船３の両舷に縦向きのブレード３０，３０を、縦軸３１を中心にして回動自在に備えておき、これを回動させることによって推進方向側に向く面積を変化させるようにしてもよく、両ブレード３０，３０の水平ドレーン埋設船推進方向に対する角度を調整することによって左右舷側の移動抵抗を調整することにより、予定敷設直線に近づけるように操船するようにしてもよい。
【００４２】
尚、上述した各実施例における移動抵抗部材の水平ドレーン埋設船に対する前後方向取り付け位置は、舳部分、胴中央部分、艫部分、又はそれらの中間部分など、他の装備の設置の条件等に応じて適宜に選定できる。
【符号の説明】
【００４３】
Ａ 軟弱土処理場
１ 軟弱地盤
２ ドレーン材
３ 水平ドレーン埋設船
４ マンドレル
５ａ，５ｂ 岸
７ａ，７ｂ 牽引用ワイヤロープ
８ａ，８ｂ ウインチ
１５ ドレーンリール
１６ 台座
１７ ブラケット
１８ ガイドローラ
１９ 回動駆動手段
２０ 繰り出し部ガイドローラ
２５ 棒状材
２６ 縦向きのガイド
２７ 回動装置
２８ パドル
２９ 球体
３０ ブレード
３１ 縦軸
【図１】
0005640299.tif 000002
【図２】
0005640299.tif 000003
【図３】
0005640299.tif 000004
【図４】
0005640299.tif 000005
【図５】
0005640299.tif 000006
【図６】
0005640299.tif 000007
【図７】
0005640299.tif 000008
【図８】
0005640299.tif 000009
【図９】
0005640299.tif 000010
【図１０】
0005640299.tif 000011